(57)【要約】      （修正有）【課題】特段に目立つことなく、厚さも襟巻用織物本体とは同様であるポケットを備えた、ファッション性の良い襟巻用織物を提供する。【解決手段】保温機能部材或は保冷機能部材を収納保持するためのポケットを備えた襟巻用織物を以下により構成する。（１）ポケット１０は、合流した経糸ａ、ｂ、合流した経糸ａ’、ｂ’及び緯糸ｃにより形成された止め部１と、経糸ａ、ａ’及び緯糸ｃにより形成された織部３と、経糸ｂ、ｂ’及び緯糸ｃにより形成された織部３’とからなる。（２）襟巻用織物本体２０は、経糸ａ、ａ’及び緯糸ｃにより形成された織部５と、経糸ｂ、ｂ’及び緯糸ｃにより形成された織部５’とからなり、且つ経糸ａ又はａ’が経糸ｂ又はｂ’と一定間隔ごとに合流部７で合流する様に構成する。【選択図】図１
0003153626.tif 000002
【実用新案登録請求の範囲】
【請求項１】
保温機能部材或は保冷機能部材を収納保持するためのポケットを備えた襟巻用織物であって、
（１）ポケット１０が、合流した経糸ａ、ｂ、合流した経糸ａ’、ｂ’及び緯糸ｃにより形成された止め部１と、経糸ａ、ａ’及び緯糸ｃにより形成された織部３と、経糸ｂ、ｂ’及び緯糸ｃにより形成された織部３’とからなるものであり、
（２）襟巻用織物本体２０が、経糸ａ、ａ’及び緯糸ｃにより形成された織部５と、経糸ｂ、ｂ’及び緯糸ｃにより形成された織部５’とからなり、且つ経糸ａ又はａ’が経糸ｂ又はｂ’と一定間隔ごとに合流部７で合流することを特徴とするポケット付き襟巻用織物。
【請求項２】
ポケットの開口部が、襟巻用織物の短手方向の端部に設けられている請求項１に記載のポケット付き襟巻用織物。
【請求項３】
ポケットの開口部が、襟巻用織物の短手方向の非端部に設けられている請求項１に記載のポケット付き襟巻用織物。
【請求項４】
ポケットの開口部が、切れ目である請求項３に記載のポケット付き襟巻用織物。
【請求項５】
ポケットの開口部が止着手段により止着されている請求項１〜４のいずれかに記載のポケット付き襟巻用織物。
【請求項６】
襟巻用織物がマフラーまたはスカーフである請求項１〜５のいずれかに記載のポケット付き襟巻用織物。
【請求項７】
ポケットに保温機能部材或は保冷機能部材が収納保持されている請求項１〜６のいずれかに記載のポケット付き襟巻用織物。
【考案の詳細な説明】
【技術分野】
【０００１】
本考案は、ポケット付き襟巻用織物に関し、詳しくは、保温機能部材或は保冷機能部材を収納保持するためのポケットを備えた襟巻用織物に関するものである。
【背景技術】
【０００２】
マフラーやスカーフなどの襟巻用織物は、冬の防寒対策又は夏の紫外線防止対策としてよく利用されている。しかし、厳冬時に一層の暖かさが求められる場合、襟巻用織物自体だけでは不十分なことがある。或は夏の酷暑時に涼しさが求められる場合には、暑苦しいのを辛抱するか、紫外線防止を締めてマフラーやスカーフを使用しないかのいずれかになる。
【０００３】
前記問題を解決するために、保温剤又は保冷剤を容易に収納するポケットが設けられた襟巻用織物が提案されている。例えば、特許文献１には、マフラー、長めの靴下、腕カバーのそれぞれの布体にポケットを設け、該ポケットに使い捨てカイロを入れる防寒具が開示されている。しかし、この防寒具では、ポケットが所謂外付けされたものであり、ポケットが設けられた部分は厚くなるので、防寒具のファッション性が大きく損なわれるという欠点があった。
【０００４】
また、特許文献２には、タオルマフラー本体に袋織部Ａ、Ｂを製織することにより袋状部を形成したタオルマフラーが開示されている。このタオルマフラーでは、袋状部は本体の一部として設けられるため、袋状部の設けられた部分が周りより嵩張らないという利点はある。しかし、袋状部の織り方はタオルマフラー本体とは異なり、袋状部が付けられた部分は目立ちやすいという問題があった。また、袋状部はタオルマフラー本体より厚いという問題がまだ残っている。
【先行技術文献】
【特許文献】
【０００５】
【特許文献１】特開２００２−１４６６１２号公報
【特許文献２】実用新案登録第３１４２９５４号公報
【考案の概要】
【考案が解決しようとする課題】
【０００６】
本考案は、かかる従来技術の問題を背景になされたものであり、その目的は、目立ちやすいという問題を生じず、厚さも襟巻用織物本体と同じであるポケットを備えた、ファッション性の良い襟巻用織物を提供することである。
【課題を解決するための手段】
【０００７】
前記課題を解決することができた本考案のポケット付き襟巻用織物は、保温機能部材或は保冷機能部材を収納保持するためのポケットを備えた襟巻用織物であって、（１）ポケット１０が、合流した経糸ａ、ｂ、合流した経糸ａ’、ｂ’及び緯糸ｃにより形成された止め部１と、経糸ａ、ａ’及び緯糸ｃにより形成された織部３と、経糸ｂ、ｂ’及び緯糸ｃにより形成された織部３’とからなるものであり、（２）襟巻用織物本体２０が、経糸ａ、ａ’及び緯糸ｃにより形成された織部５と、経糸ｂ、ｂ’及び緯糸ｃにより形成された織部５’とからなり、且つ経糸ａ又はａ’が経糸ｂ又はｂ’と一定間隔ごとに合流部７で合流することを特徴とするものである。
【０００８】
前記ポケットの開口部は、襟巻用織物の短手方向の端部に設けられても良く、非端部に設けられても良い。非端部に設けられている場合、切れ目であることが好ましい。また、前記ポケットの開口部は止着手段により止着されていることが好ましい。
【０００９】
本考案のポケット付き襟巻用織物は、マフラーまたはスカーフであることが好ましい。
【００１０】
本考案のポケット付き襟巻用織物は、ポケットに保温機能部材或は保冷機能部材が収納保持された状態で使用する。
【考案の効果】
【００１１】
本考案によれば、目立ちやすくなることがなく、厚さも襟巻用織物本体と同じであるポケットを備えた、ファッション性の良い襟巻用織物が得られた。
【図面の簡単な説明】
【００１２】
【図１】本考案の襟巻用織物の織組織を示した断面説明図である。
【図２】ポケットの開口部が襟巻用織物の短手方向の端部に設けられている本考案の襟巻用織物の態様を示した平面説明図である。
【図３】ポケットの開口部が襟巻用織物の短手方向の非端部に設けられている本考案の襟巻用織物の態様を示した平面説明図である。
【図４】ポケットの開口部が切れ目である本考案の襟巻用織物の態様を示した平面説明図である。
【考案を実施するための形態】
【００１３】
以下、本考案の実施形態を詳細に説明するが、本考案は、下記の実施形態に限定されるものではなく、本考案の要旨を逸脱しない範囲内において種々変更を加え得ることは勿論である。
【００１４】
本考案のポケット付き襟巻用織物は、保温機能部材或は保冷機能部材を収納保持するためのポケットを備えた襟巻用織物であって、（１）ポケット１０が、合流した経糸ａ、ｂ、合流した経糸ａ’、ｂ’及び緯糸ｃにより形成された止め部１と、経糸ａ、ａ’及び緯糸ｃにより形成された織部３と、経糸ｂ、ｂ’及び緯糸ｃにより形成された織部３’とからなるものであり、（２）襟巻用織物本体２０が、経糸ａ、ａ’及び緯糸ｃにより形成された織部５と、経糸ｂ、ｂ’及び緯糸ｃにより形成された織部５’とからなり、且つ経糸ａ又はａ’が経糸ｂ又はｂ’と一定間隔ごとに合流部７で合流することを特徴とするものである。
【００１５】
以下、図面を参照しながら、本考案のポケット付き襟巻用織物について詳細に説明するが、本考案のポケット付き襟巻用織物は図面に示した態様に限定されるものではない。
【００１６】
図１は、本考案のポケット付き襟巻用織物の織組織を示した断面説明図である。ポケット付き襟巻用織物１００は、ポケット１０と襟巻用織物本体２０からなる。また、前記ポケット１０は止め部１と織部３、３’からなり、前記襟巻用織物本体２０は織部５、５’と合流部７からなる。
【００１７】
前記ポケット１０では、止め部１は合流した経糸ａ、ｂ、合流した経糸ａ’、ｂ’及び緯糸ｃにより形成され、織部３は経糸ａ、ａ’及び緯糸ｃにより形成され、また織部３’は経糸ｂ、ｂ’及び緯糸ｃにより形成される。従って、本考案の襟巻用織物におけるポケットは、特許文献２と同様に、織物本体の一部として設けられている。そのため、本考案の襟巻用織物も、ポケットの設けられた部分が周りより嵩張らないという利点はある。
【００１８】
また、前記襟巻用織物本体２０では、織部５は経糸ａ、ａ’及び緯糸ｃにより形成され、織部５’は経糸ｂ、ｂ’及び緯糸ｃにより形成され、且つ経糸ａ又はａ’が経糸ｂ又はｂ’と一定間隔ごとに合流部７で合流する。従って、前記襟巻用織物本体２０は、ポケット１０とは同様な二重構造を有しており、織部５、５’の織り方もそれぞれポケット１０の織部３、３’とは全く同じである。そのため、二重構造である襟巻用織物本体２０の厚さも織り方もポケット１０とは完全に同じである本考案のポケット付き襟巻用織物は、マフラー本体の厚さや織り方がポケット部分とは異なっている特許文献２に比べて、ポケットの設けられた部分が周りより嵩張らないという効果を得る上で、織り方や厚さの異なりによるポケット部分の目立ちやすいという問題も克服できた。また、経糸ａ又はａ’を経糸ｂ又はｂ’と一定間隔ごとに合流部７で合流することにより、襟巻用織物本体２０に二重構造を保持しながら、織部５と５’を一体化させることもできる。
【００１９】
前記交流部７は、襟巻用織物の短手方向に亘って断続的に設けられても良く（例えば、図２〜４に示す合流部７）、連続的に設けられても構わない。
【００２０】
前記ポケットの設定位置は、温めよう或は冷やそうとする部位に当たるようにできる位置であれば特に限定されないが、襟巻用織物の長手方向の中央部付近に設けられることが好ましい。前記ポケットの数も限定されず、必要に応じて決めれば良い。
【００２１】
また、前記ポケットの開口部も特に限定されず、襟巻用織物の短手方向の端部であっても良く（例えば、図２の開口部９）、非端部であっても構わない（例えば、図３の開口部９’）。開口部は非端部に設けられる場合、切れ目（例えば、図４の開口部９”）であることが好ましい。
【００２２】
さらに、前記ポケットの開口部は、止着手段により止着されていることが好ましい。止着手段としては、ホック、ボタン、面ファスナーなどが挙げられる。開口部は切れ目である場合、保温機能部材或は保冷機能部材が安全に収納保持できれば、開口部において止着手段により止着されなくても良い。
【００２３】
なお、図２〜４では、マフラーを本考案のポケット付き襟巻用織物として例示しているが、本考案のポケット付き襟巻用織物はマフラーに限定されるものではなく、マフラーのほかにスカーフ、アスコットタイ、巻きバンドなど様々な使用態様が挙げられ、使用目的及び部位に応じて決めれば良い。また、本考案のポケット付き襟巻用織物は、首のほかに肩、腕などの部位にも使用することができる。
【００２４】
本考案のポケット付き襟巻用織物は、ポケットに保温機能部材或は保冷機能部材が収納保持された状態で使用する。使用し得る保温機能部材又は保冷機能部材は特に限定されず、保温機能部材としてはカイロなどの保温材が挙げられ、保冷機能部材としては保冷剤を収納した保冷材などが挙げられる。
【産業上の利用可能性】
【００２５】
本考案のポケット付き襟巻用織物は、防寒、防暑、血行促進、肩こりなどの緩和、病気や炎症による発熱の冷却など様々の用途に利用できる。
【符号の説明】
【００２６】
１：占め部、３、３’：ポケットの織部、５、５’：襟巻用織物本体の織部、７：合流部、９、９’、９”：開口部、１０：ポケット、２０：襟巻用織物本体、１００：ポケット付き襟巻用織物、ａ、ａ’、ｂ、ｂ’：経糸、ｃ：緯糸
【図１】
0003153626.tif 000003
【図２】
0003153626.tif 000004
【図３】
0003153626.tif 000005
【図４】
0003153626.tif 000006